(57)【要約】【課題】レンズやシャッターを保持しながら光軸方向に進退移動する移動筒を備えたレンズ鏡筒において、移動筒を前側移動筒と後側移動筒を連結することによって構成すると共に、前側移動筒の後端面にシャッター羽根を収容するシャッター枠の前シャッター枠を形成し、後側移動筒の前端面にシャッター枠の後シャッター枠を形成して前側移動筒の後端面と後側移動筒の前端面との間にシャッター羽根を配置することによって、レンズ鏡筒の大きさに比べて開口径の大きなシャッターを小型化のための構造の複雑化や高コスト化を招くことなく配置できるようにしたレンズ鏡筒を提供する【解決手段】固定筒３０の内側に回転筒３４が配置され、回転筒３４の内側に地板５０と前シャッター枠５２と移動筒５４とが連結されて構成される移動筒が配置される。地板５０に前側レンズ群５６等が保持され、移動筒５４に後側レンズ群５８が保持され、前シャッター枠５２と移動筒５４の端面７６との間にシャッター羽根６０（６２）が保持される。【選択図】      図２
2006113393.tif 000002
【特許請求の範囲】
【請求項１】
レンズ及びシャッター機構のシャッター部材を保持しながら固定筒に対して光軸方向に進退移動する移動筒を備えたレンズ鏡筒において、
前記移動筒は、前側レンズ群を保持する前側移動筒と、後側レンズ群を保持して前記前側移動筒と連結される後側移動筒とから構成され、前記前側移動筒と前記後側移動筒との間に前記シャッター部材が配置されたことを特徴とするレンズ鏡筒。
【請求項２】
前記前側移動筒の後端面に前シャッター枠が形成され、前記後側移動筒の前端面に後シャッター枠が形成され、前記前側移動筒の前シャッター枠と前記後側移動筒の後シャッター枠との間に前記シャッター部材が配置されたことを特徴とする請求項１のレンズ鏡筒。
【請求項３】
前記前側移動筒は、前記前側レンズ群を保持する筒部と、前記前シャッター枠が形成される枠部とを連結することによって構成されることを特徴とする請求項２のレンズ鏡筒。
【請求項４】
前記筒部に前記シャッター部材を駆動するためのアクチュエータが配置されることを特徴とする請求項３のレンズ鏡筒。
【請求項５】
前記移動筒は、前記固定筒に対して回動する回転筒の内側に配置され、前記回転筒が回動することによって光軸方向に進退移動することを特徴とする請求項１乃至４のうちいずれか１に記載のレンズ鏡筒。
【請求項６】
前記移動筒は、前記固定筒に対する回動が規制され、前記回転筒に対して相対的に回動しながら直進移動することを特徴とする請求項５のレンズ鏡筒。
【請求項７】
前記移動筒は、前記固定筒に形成された光軸方向の直進溝に係合する係合部を備え、該直進溝と該係合部との係合によって前記固定筒に対する回動が規制されることを特徴とする請求項６のレンズ鏡筒。
【請求項８】
前記シャッター部材は、シャッター羽根であることを特徴とする請求項１乃至７のうちいずれか１に記載のレンズ鏡筒。
【請求項９】
前記シャッター羽根は、２枚であることを特徴とする請求項８のレンズ鏡筒。
【発明の詳細な説明】
【技術分野】
【０００１】
本発明はレンズ鏡筒に係り、特に、レンズ及びシャッター機構のシャッター羽根を保持しながら光軸方向に進退移動する移動筒を備えたレンズ鏡筒に関する。
【背景技術】
【０００２】
銀塩カメラやデジタルカメラにおいて、電源のオン／オフ時、ズーム調整時、フォーカス調整時等にレンズやシャッターを保持しながら固定筒に対して進退移動する移動筒を備え、レンズ等を繰り出し又は繰り込み動作させるレンズ鏡筒が知られている（例えば特許文献１、２参照）。一般に固定筒と移動筒の間には、回転筒が配置されており、回転筒をモータで回動することによって回転筒と共に、又は、回転筒に対して移動筒が光軸方向に進退移動するようになっている。
【特許文献１】特開平１１−１６０７５６号公報
【特許文献２】特開２０００−２４９８９３号公報
【発明の開示】
【発明が解決しようとする課題】
【０００３】
従来のレンズ鏡筒において、シャッター（シャッター機構部）は、上記移動筒と別々の部品で構成され、例えばユニット化されて移動筒の内側に配置されている。そのため、シャッターの外径は、移動筒の内径より小さくする必要があり、シャッターは、移動筒の内径の範囲内で、且つ、光学的に要求される開口径を満たすように構成しなければない。
【０００４】
しかしながら、シャッターの構造を変えずに開口径を大きくしようとすると、シャッターの外径が大きくなる。一方、カメラの小型化に伴いレンズ鏡筒全体の小型化が図られており、それに伴い移動筒も小さくする必要がある。そのため、移動筒の内径に比して開口径の大きなシャッターが要求されるようになっている。そこで、要求される開口径のシャッターを移動筒の内径の範囲内に収めようとするとシャッター羽根の枚数を増やす等してシャッターの小型化を図ることが必要となリ、そのためにシャッターの構造の複雑化を招き、製品コストも高くなるという問題があった。
【０００５】
本発明はこのような事情に鑑みてなされたもので、レンズ鏡筒の大きさに比べて開口径の大きなシャッターを、小型化のための構造の複雑化や高コスト化を招くことなく配置できるようにしたレンズ鏡筒を提供することを目的とする。
【課題を解決するための手段】
【０００６】
前記目的を達成するために、請求項１に記載のレンズ鏡筒は、レンズ及びシャッター機構のシャッター部材を保持しながら固定筒に対して光軸方向に進退移動する移動筒を備えたレンズ鏡筒において、前記移動筒は、前側レンズ群を保持する前側移動筒と、後側レンズ群を保持して前記前側移動筒と連結される後側移動筒とから構成され、前記前側移動筒と前記後側移動筒との間に前記シャッター部材が配置されたことを特徴としている。本発明によれば、移動筒を前側移動筒と後側移動筒とで構成すると共に、シャッター羽根等のシャッター部材を前側移動筒と後側移動筒との間に配置するようにしたため、従来のように移動筒の内径に制限されることなく、また、小型化のためにシャッター羽根の枚数を増やすなどの構造の複雑化を招くことなく、簡易な構造で開口径の大きいシャッターを配置することができるようになる。
【０００７】
請求項２に記載のレンズ鏡筒は、請求項１に記載の発明において、前記前側移動筒の後端面に前シャッター枠が形成され、前記後側移動筒の前端面に後シャッター枠が形成され、前記前側移動筒の前シャッター枠と前記後側移動筒の後シャッター枠との間に前記シャッター部材が配置されたことを特徴としている。本発明によれば、シャッター部材を収容するシャッター枠を前側移動筒と後側移動筒に形成し、その間にシャッター部材を収容するようにしたものである。尚、本発明の構成に限らず、前側移動筒と後側移動筒の間にシャッターユニットをは挟み込むようにすることも可能であるが、その場合に比べると本発明は、部品点数を削減できる等の利点がある。
【０００８】
請求項３に記載のレンズ鏡筒は、請求項２に記載の発明において、前記前側移動筒は、前記前側レンズ群を保持する筒部と、前記前シャッター枠が形成される枠部とを連結することによって構成されることを特徴としている。本発明のように前側移動筒は必ずしも一体形成されていなくてもよく、前シャッター枠は前側レンズ群を保持する筒部と別体の枠部に形成されている場合であってもよい。尚、この場合と同様に後側移動筒も必ずしも一体形成されていなくてもよい。
【０００９】
請求項４に記載のレンズ鏡筒は、請求項３に記載の発明において、前記筒部に前記シャッター部材を駆動するためのアクチュエータが配置されることを特徴としている。本発明では、前側移動筒の筒部が、シャッター機構のアクチュエータなどの駆動部品を配置するいわゆる地板に相当する。
【００１０】
請求項５に記載のレンズ鏡筒は、請求項１乃至４のうちいずれか１に記載の発明において、前記移動筒は、前記固定筒に対して回動する回転筒の内側に配置され、前記回転筒が回動することによって光軸方向に進退移動することを特徴としている。本発明は、移動筒が、回転筒の内側に配置され、回転筒と共に、又は、回転筒の回転力によって進退移動する態様である。
【００１１】
請求項６に記載のレンズ鏡筒は、請求項５に記載の発明において、前記移動筒は、前記固定筒に対する回動が規制され、前記回転筒に対して相対的に回動しながら直進移動することを特徴としている。本発明は、移動筒が直進移動するようにした態様である。
【００１２】
請求項７に記載のレンズ鏡筒は、請求項６に記載の発明において、前記移動筒は、前記固定筒に形成された光軸方向の直進溝に係合する係合部を備え、該直進溝と該係合部との係合によって前記固定筒に対する回動が規制されることを特徴としている。本発明は、固定筒の直進溝に係合する係合部を移動筒に備えることによって、移動筒の回動を直進筒などの別部材を介して規制する必要がなく、構造の簡素化を図れる。
【００１３】
請求項８に記載のレンズ鏡筒は、請求項１乃至請求項７のうちいずれか１に記載の発明において、前記シャッター部材は、シャッター羽根であることを特徴としている。即ち、シャッター機構がシャッター羽根によって構成されるものである。
【００１４】
請求項９に記載のレンズ鏡筒は、請求項８に記載の発明において、前記シャッター羽根は、２枚であることを特徴としている。本発明は、上述のようにシャッターを従来より大きくすることができるため、構造が簡単な２枚羽根のシャッターでも必要な開口径を確保できることによるものである。
【発明の効果】
【００１５】
本発明に係るレンズ鏡筒によれば、レンズ鏡筒の大きさに比べて開口径の大きなシャッターを、小型化のための構造の複雑化や高コスト化を招くことなく配置できるようになる。
【発明を実施するための最良の形態】
【００１６】
以下、添付図面に従って本発明に係るレンズ鏡筒の好ましい実施の形態について詳説する。
【００１７】
図１は、本発明に係るレンズ鏡筒が適用されたカメラの一例を示した全体斜視図である。同図に示すカメラは、例えば、３５ｍｍフイルムに静止画像を記録する銀塩コンパクトカメラであり、カメラボディ９の前面には、本発明に係る沈胴式のレンズ鏡筒１０が配置されている。また、カメラボディ９の前面にはフラッシュ発光部１２や、詳細を省略したファインダー窓、ＡＦ窓、ＡＥ受光部等の光学部１４が配置されている。カメラボディ９の上面にはシャッターボタン１６が配置され、カメラボディ９の背面にはフィインダー接眼部１８や図示しない電源スイッチ、表示部等が配置されている。
【００１８】
同図では、電源がオフされているときにレンズ鏡筒１０が沈胴している沈胴状態を示しており、レンズ前面を保護するレンズバリア２０が閉じた状態となっている。一方、電源スイッチを操作して電源をオンすると、レンズやシャッター等のレンズ鏡筒１０を構成する一部の構成部品がカメラボディ９から繰り出されると共にレンズバリア２０が開いて撮影可能な撮影待機状態に移行するようになっている。
【００１９】
図２は、沈胴状態での上記レンズ鏡筒１０の構成を示した側面断面図である。同図に示すレンズ鏡筒１０は焦点距離が固定のいわゆる単焦点レンズである。同図において、固定筒３０は、上記カメラ本体に取り付けられており、後述のように固定筒３０の内側に配置された構成部品がこの固定筒３０に対して光軸方向に進退移動することによって、レンズ鏡筒１０が繰り出し又は繰り込み動作するようになっている。
【００２０】
固定筒３０の内側には、回転筒３４が配置されている。回転筒３４の外周面の後端側には拡径部３６が形成されており、その拡径部３６にメスヘリコイド３８と平歯車４０とが形成されている。一方、固定筒３０の内周面にはオスヘリコイド３２が形成されており、回転筒３０は、メスヘリコイド３８をオスヘリコイド３２に係合させることによって固定筒３０にヘリコイド結合されるようになっている。
【００２１】
また、固定筒３０には光軸方向に図示しない長穴が形成されており、その長穴に駆動ギアが回動可能に設置されている。その駆動ギアは、回転筒３４の拡径部３６の平歯車４０と噛合すると共に、図示しない駆動モータに動力伝達機構を介して連結されている。従って、駆動モータによって駆動ギアが回動すると、回転筒３４が固定筒３０に対して回動すると共に、その回転筒３４の回転方向に応じてヘリコイドの作用により回転筒３４が固定筒３０に対して光軸方向に進退移動するようになっている。
【００２２】
回転筒３４の内側には、前側（対物側）から順に地板５０、前シャッター枠５２、移動筒５４が配置されると共に、これらの部材によって保持された前側レンズ群５６、後側レンズ群５８、シャッター機構のシャッター羽根６０（６２）及びアクチュエータ６４等の所要の構成部品が配置されている。尚、地板５０よりも前側（対物側）の点線枠６６で示す箇所には、電源オン時の撮影待機状態で開き、電源オフ時の沈胴状態で閉じる図１のレンズバリア２０等が配置されるが詳細な構成は省略している。また、前側レンズ群５６や後側レンズ群５８も複数のレンズによって構成されているが詳細な構成は省略している。
【００２３】
回転筒３４の内側に配置された各構成部品は後述のように回転筒３４の光軸方向への進退移動と共に直進移動するようになっており、電源をオンした際の撮影待機状態では図３のように固定筒３０から繰り出されるようになっている。
【００２４】
回転筒３０の内側に配置される構成部品の構成について、それらを分解して示した図４の分解斜視図を用いて詳説する。同図に示すように地板５０と移動筒５４は略筒状に形成され、地板５０の後端側と移動筒５４の前端側にはそれぞれ端面７４、７６が形成されている。また、各端面７４、７６にはそれぞれ光軸上とその周辺を円状に開口する開口部７８、８０が形成されている。前シャッター枠５２は略円板状に形成されており、光軸上とその周辺を円状に開口する開口部８２が形成されている。また、前シャッター枠５２の前面側には環状に突出した突部８３が形成されており、この突部８３が地板５０の開口部７８の嵌合するようになっている。
【００２５】
移動筒５４の端面７６（前面側）には、周方向等間隔に３箇所のねじ孔８４、８４、８４が形成されており、それらのねじ孔８４、８４、８４に対応して地板５０の端面７４と前シャッター枠５２に挿通穴８６、８６、８６、８８、８８、８８がそれぞれ３箇所に形成されている。地板５０の各挿通穴８６、８６、８６と前シャッター枠５２の各挿通穴８８、８８、８８の位置を合わせて、前シャッター枠５２の突部８３を地板５０の開口部７８に嵌合させ、各挿通穴８６、８６、８６、８８、８８、８８にそれぞれねじ９０、９０、９０を挿通して各ねじ９０、９０、９０を移動筒５４のねじ孔８４、８４、８４に螺合して固定することによって図２又は図３のように地板５０と前シャッター枠５２が移動筒５４に一体的に固定されるようになっている。尚、地板５０と前シャッター枠５２を移動枠５４に一体的に固定する手段はねじに限らず他の手段で固定してもよい。
【００２６】
地板５０の端面７４（前面側）には、周方向等間隔の３箇所にねじ孔９２、９２、９２が形成されおり、それらのねじ孔９２、９２、９２に対応して、前側レンズ群５６を保持するレンズ保持枠７０に挿通穴９４、９４、９４を有する突部９６、９６、９６が形成されている。尚、前側レンズ群５６とレンズ保持枠７０とからなるユニットを前側レンズユニット７１というものとする。
【００２７】
前側レンズユニット７１を地板５０の前側から挿入し、各ねじ９８、９８、９８を前側レンズユニット７１の各挿通穴９４、９４、９４に挿通して地板５０の各ねじ孔９２、９２、９２に螺合して固定するによって図２又は図３のように前側レンズユニット７１が地板５０に固定される。
【００２８】
移動筒５４の内周面の後端側と、後側レンズ群５８を保持するレンズ保持枠７２にはバヨネット結合する係合部（詳細を省略）が形成されている。尚、後側レンズ群５８とレンズ保持枠７２からなるユニットを後側レンズユニット７３というものとする。後側レンズユニット７３を移動筒５４の後側から挿入し、移動筒５４にバヨネット結合させることによって図２又は図３のように移動筒５４の内部に後側レンズユニット７３が固定される。図２又は図３において、移動枠５４の溝１５０とレンズ保持枠７２の突部１５２がバヨネット係合する係合部を示している。
【００２９】
前シャッター枠５２の後面側には、シャッター機構の２枚のシャッター羽根６０、６２を収容してシャッター羽根６０、６２を光軸と直交する面内で支持するためのシャッター枠の前面側（及び周面）として作用する前シャッター枠の構造が形成され、移動筒５４の端面７６の前面側には、シャッター枠の後面側として作用する後シャッター枠の構造が形成されている。２枚のシャッター羽根６０、６２は、これらの前シャッター枠５２の後面側と移動筒５４の端面７６の前面側の間に配置される。前シャッター枠５２の後面側には２つの支持ピン１００、１０２が突設されると共に、移動筒５４の端面７６には前シャッター枠５２を移動筒５４に固定した際にそれらの支持ピン１００、１０２が嵌合する孔１０４、１０６が形成されている。
【００３０】
一方、各シャッター羽根６０、６２には各支持ピン１００、１０２と略同一大の支持穴１１０、１１４が形成されている。前シャッター枠５２を移動筒５４に固定する際に、前シャッター枠５２の一方の支持ピン１００に一方のシャッター羽根６０の支持穴１１０を嵌め込み、他方の支持ピン１０２に他方のシャッター羽根６２の支持穴１１４を嵌め込み、前シャッター枠５２を移動筒５４に固定すると、各支持ピン１００、１０２が移動筒５４の各孔１０４、１０６に嵌合する。そして、各シャッター羽根６０、６２が各支持ピン１００、１０２を軸にして揺動可能に図２又は図３のように前シャッター枠５２と移動筒５４の端面７６との間に支持される。
【００３１】
また、地板５０には図２又は図３に示されているアクチュエータ６４が取り付けられると共にそのアクチュエータ６４によって揺動するレバーのピン１２０が後面側に突設されている。地板５０と前シャッター枠５２が移動筒５４に固定された状態でピン１２０が揺動した場合に、そのピン１２０が当接しないように前シャッター枠５２には円弧状に貫通した長穴１２２が形成されると共に、移動筒５４の端面７６にはその長穴１２２と同形状の長溝１２４が形成されている。
【００３２】
一方、各シャッター羽根６０、６２には、長穴１１２、１１６が形成されており、地板５０と前シャッター枠５２を移動筒５４に固定する際に、それらの長穴１１２、１１６にレバーのピン１２０が嵌入されるようになっている。これによって、シャッター羽根６０、６２がレバーのピン１２０の揺動によって開閉動作するようにようになっている。
【００３３】
図５は、前シャッター枠５２と、シャッター羽根６０、６２を後側から示した平面図である。同図に示すように、前シャッター枠５２の後面側には２本の支持ピン１００、１０２が突設されており、一方の支持ピン１００にはシャッター羽根６０の支持穴１１０が嵌め合わされ、他方の支持ピン１０２にはシャッター羽根６２の支持穴１１４が嵌め合わされる。また、地板５０に配置されたアクチュエータ６４によって揺動するレバー１１８に突設されたピン１２０は、前シャッター枠５２の長穴１２２から突出しており、そのピン１２０には、シャッター羽根６０、６２の長穴１１２、１１６が嵌め合わされる。
【００３４】
これによって図６（Ａ）のようにシャッター羽根６０、６２が前シャッター枠５２の開口部８２上で重ね合わせられ、開口を完全に閉鎖するように配置される。一方、シャッターボタン１６が全押しされたときには、アクチュエータ６４によってレバー１１８が図中上方に揺動し、ピン１２０が引き上げられる。これによって、図６（Ｂ）のようにシャッター羽根６０が支持ピン１００を軸に反時計回りに回転し、シャッター羽根６２が時計回りに回転し、前シャッター枠５２の開口部８２が開かれるようになっている。
【００３５】
尚、本レンズ鏡筒１０のシャッター機構は、絞り兼用であり、シャッター羽根６０、６２の動作量によって開口量が調整されるようになっている。また、シャッター機構は２枚のシャッター羽根によって構成されるものに限らず、３枚以上のシャッター羽根によって構成されるものであってもよいし、また、シャッター羽根以外のシャッター部材によって光路を開閉する他の方式のシャッター機構であってもよい。
【００３６】
以上のように回転筒３４の内部に配置される構成部品の構成によれば、地板５０と前シャッター枠５２と移動筒５４とが連結されることによって一体の移動筒が構成され、その移動筒に前側レンズユニット７１、後側レンズユニット７３、シャッター羽根６０、６２等の所要の構成部品が保持され、移動筒と一体的に移動するようになっている。
【００３７】
また、前シャッター枠５２の後面側と移動筒５４の端面７６の前面側とでシャッター枠を形成したことによって移動筒の内側に別部材のシャッター枠を配置するよりもシャッター枠を大きくすることができ、簡単な構造でシャッターの開口径を大きくすることができる。
【００３８】
次に、移動筒５４と固定筒３０及び回転筒３４との係合について説明すると、図４に示すように移動筒５４の外周面の後端側には、外側に突出した直進キー１３０、１３２が形成されている。それらの直進キー１３０、１３２は、図２又は図３に示すように回転筒３４の後端よりも後側において固定筒３０に届く位置まで延設されている。
【００３９】
一方、固定筒３０の内周面には図２又は図３に示すように直進キー１３０に係合する光軸方向の直進溝１３４が形成されている。尚、直進キー１３２に係合する直進溝は図では省略している。これによって、移動筒５４の回転が規制されると共に、移動筒５４に連結された地板５０や前シャッター枠５２等の回転筒３４の内側の構成部品の回転が規制され、光軸方向への直進的な進退移動のみが行えるようになっている。また、固定筒３０の直進溝に係合する直進キーを移動筒５４に直接設けているため、従来のように移動筒５４とは別部材の直進筒によって移動筒５４の回転を規制する必要がなく、部品点数が削減され、構造の簡素化が図れる。
【００４０】
また、図４に示すように移動筒５４の外周面の後端側には、同一円周上の所定箇所に外側に突出した爪１３６、１３６、…が形成されている。これらの爪１３６、１３６、…は、図２又は図３に示すように回転筒３４の内周面に形成された周方向の溝１３８に嵌合される。これによって、回転筒３４の内側に移動筒５４等の構成部品が保持されると共に、回転筒３４が回動しながら進退移動する際に、移動筒５４の爪１３６、１３６、…が溝１３８内を摺動しながら溝１３８の位置に移動し、移動筒５４等の回転筒３４の内側に配置された構成部品が回転筒３４と共に光軸方向に進退移動するようになっている。
【００４１】
以上の如く構成されたレンズ鏡筒１０によれば、図２の沈胴状態において、電源をオンした場合、回転筒３４が駆動モータによって所定方向に回転しながら前方に繰り出される。そして、地板５０、前シャッター枠５２、及び、移動筒５４が連結されることによって構成された移動筒と、その移動筒に保持された前側レンズユニット７１、後側レンズユニット７３、シャッター羽根６０、６２等の構成部品が、移動筒５４の直進キー１３０と固定筒３０の直進溝１３８の係合によって回動を規制されながら、回転筒３４と共に繰り出され、図３のように撮影待機状態に移行する。撮影待機状態に移行した後、フォーカス調整の際にも回転筒３４が回動され、前記移動筒が光軸方向に進退移動して前側レンズユニット７１、後側レンズユニット７３、シャッター羽根６０、６２等の位置が調整される。
【００４２】
以上、上記実施の形態では、前側レンズユニット７１、後側レンズユニット７３、シャッター羽根６０、６２等を保持しながら進退移動させる移動筒を地板５０、前シャッター枠５２、及び、移動筒５４の３つの部材で構成したが、地板５０と前シャッター枠５２は一体形成された部材であってもよい。即ち、本発明は、前側レンズ群を保持する前側移動筒と後側レンズ群を保持する後側移動筒とを連結することによって移動筒の全体を構成すると共に、前側移動筒の後端面にシャッター羽根を収容するシャッター枠の前側（前シャッター枠）を形成し、後側移動筒の前端面にシャッター枠の後側（後シャッター枠）を形成して、その間にシャッター羽根を配置するようにすればよく、上記実施の形態において前側移動筒を構成する地板５０と前シャッター枠５２は別体であっても一体であってもよい。また、前側移動筒や後側移動筒は、各々１つ又は任意の数の構成部材によって構成してもよい。
【００４３】
また、上記実施の形態では、レンズ鏡筒１０が単焦点レンズの場合の構成について説明したが、本発明は、単焦点レンズ以外（例えば、焦点距離が可変のズームレンズ）の場合であってもレンズやシャッター機構のシャッター羽根等を保持しながら進退移動する移動筒を備えたレンズ鏡筒において適用できる。
【図面の簡単な説明】
【００４４】
【図１】本発明に係るレンズ鏡筒が適用されたカメラの一例を示した全体斜視図。
【図２】沈胴状態でのレンズ鏡筒の構成を示した側面断面図。
【図３】撮影待機状態でのレンズ鏡筒おを示した側面断面図。
【図４】回転筒の内側に配置される構成部品を分解して示した分解斜視図。
【図５】前シャッター枠とシャッター羽根を分解した状態で後側から示した平面図。
【図６】前シャッター枠とシャッター羽根を組み立てた状態で後側から示した平面図。
【符号の説明】
【００４５】
１０…レンズ鏡筒、１６…シャッターボタン、２０…レンズバリア、３０…固定筒、３２…オスヘリコイド、３４…回転筒、３６…拡径部、３８…メスヘリコイド、４０…平歯車、５０…地板、５２…前シャッター枠、５４…移動筒、５６…前側レンズ群、５８…後側レンズ群、６０、６２…シャッター羽根、６４…アクチュエータ、７０、７２…レンズ保持枠、７１…前側レンズユニット、７３…後側レンズユニット、７４、７６…端面、７８、８０、８２…開口部、８４、９２…ねじ孔、８６、８８、９４…挿通穴、９０、９８…ねじ、１００、１０２…支持ピン、１０４、１０６…孔、１１０、１１４…支持穴、１１８…レバー、１２０…ピン、１１２、１１６、１２２…長穴、１２４…長溝、１３０、１３２…直進キー、１３４…直進溝、１３６…爪、１３８…溝
【図１】
2006113393.tif 000003
【図２】
2006113393.tif 000004
【図３】
2006113393.tif 000005
【図４】
2006113393.tif 000006
【図５】
2006113393.tif 000007
【図６】
2006113393.tif 000008